(57)【要約】      （修正有）【課題】リモコンによる複数の室内機の一斉操作の際に、使用者が通信エラーを容易かつ確実に認識できる空気調和機を提供する。【解決手段】リモコン２０の制御部は、全室内機停止機能を実行する際、送受信部を介して室内機１０ｃに運転停止信号を送信し、所定時間経過しても停止完了信号を受信しない場合は、室内機１０ｃとの間で通信エラーが発生したと認識する。このとき、リモコン２０の制御部は、表示部２３に「室内機３：エラー」と表示して、使用者に対し室内機１０ｃとの通信がエラーとなって室内機１０ｃの運転を停止できなかったことを知らせる。そして、制御部は、室内機１０ｃ以降の室内機１０ｄ、１０ｅへの運転停止信号の送信を行わず、表示部２３の表示を画面ｄから変化しないように表示部２３を制御する。【選択図】図４
2015102302.tif 000002
【特許請求の範囲】
【請求項１】
空調運転を行う複数の空気調和機本体と、
表示部と操作部と制御部とを備え、複数の前記空気調和機本体を双方向通信により運転操作するリモコンと、
を有する空気調和機であって、
前記リモコンの制御部は、
前記操作部から前記複数の空気調和機本体に対し、一斉に同じ運転操作を行う一斉操作が指示されたとき、前記複数の空気調和機本体と順次通信を行い、
前記空気調和機本体からの返信があった場合は、通信結果を順次前記表示部に表示し、
前記空気調和機本体からの返信がなかった場合は、前記表示部に通信エラーが発生したことを表示するとともに、前記一斉操作を停止すること
を特徴とする空気調和機。
【発明の詳細な説明】
【技術分野】
【０００１】
本発明は、１台のリモコンで複数の空気調和機本体を双方向通信によって運転操作できる空気調和機に関する。
【背景技術】
【０００２】
従来、１台のリモコンで複数の空気調和機本体（主に、室内機）を運転操作できるようにした空気調和機が知られている。このような空気調和機のうち、各々の室内機が有する機能が同じであり、全ての室内機とリモコンとの間の運転操作が同じものがある。
【０００３】
上記のような空気調和機では、運転制御の内容が同じであるので、1台のリモコンで全ての室内機の一斉操作、例えば、全台一斉に運転開始／停止や、全台同じ運転モード（冷房／暖房／除湿／送風）等の操作が可能であれば便利である。そこで、リモコンとして、別の部屋に設置されている室内機やフロア面積の広い店舗や事務所等に設置されている複数の室内機を確実に操作できるＲＦリモコン（無線通信方式のリモコン）を使用するものがある。
【０００４】
通常、リモコンとしてＲＦリモコンを使用する場合は、使用者が意図する室内機のみを操作できるようにするために、空気調和機の使用前にリモコンと操作対象となる室内機とをペアとして登録する設定、所謂ペアリングを行う。そして、上述したような１台のリモコンで複数の室内機を運転操作する空気調和機では、リモコンと全ての室内機との間で個別にペアリングを行い、室内機の個別操作と全ての室内機の一斉操作とを選択できるようにされている。
【０００５】
１台のリモコンで複数の室内機を一斉操作する場合は、リモコンと個々の室内機との間で順次通信がなされる。リモコンには、各室内機の運転状態やタイマー設定の有無等を表示する表示部が設けられており、リモコンと個々の室内機との通信結果が、表示部に通信順に表示されるようになっている。
【０００６】
尚、リモコンの表示部での表示方法としては、表示部が、ドットマトリクスタイプの液晶パネルによって表示を自由に変えることができる第１表示部と７セグメントタイプの液晶パネルからなり表示パターンが制限される第２表示部とで構成され、第１表示部における表示が所定時間毎に表示内容を順次変更するものが提案されている（例えば、特許文献１を参照）。
【先行技術文献】
【特許文献】
【０００７】
【特許文献１】特開２０１３−２００１２１号公報
【発明の概要】
【発明が解決しようとする課題】
【０００８】
リモコンで全ての室内機を一斉操作するときに、いずれかの室内機との間で通信エラーが発生した場合、特許文献１に記載のような通信結果を順次表示部に表示する方法では、以下のような問題があった。
【０００９】
使用者がリモコンで一斉操作を指示すると、リモコンと各室内機との間で順次通信がなされ、リモコンの表示部には各室内機からの返信の有無に応じた通信の成否が表示される。従って、いくつかの室内機との間で通信エラーが発生すれば、その旨が表示部に表示されるが、通信結果を順次表示部に表示する方法では、所定時間毎に順次表示内容が変わるので、通信エラー表示がされていても使用者が気づかないうちに次の表示に変わってしまい、使用者が通信エラーとなった室内機を見過ごすあるいは認識するのが遅れる虞があった。また、使用者が通信エラーの見過ごしや認識遅れをしないためには、リモコンの表示部を見続けなければならないという問題があった。
【００１０】
本発明は上記課題に鑑みてなされたものであり、リモコンによる複数の室内機の一斉操作の際に、使用者が通信エラーを容易かつ確実に認識できる空気調和機を提供することを目的とする。
【課題を解決するための手段】
【００１１】
本発明は上述の課題を解決するものであって、本発明の空気調和機は、空調運転を行う複数の空気調和機本体と、表示部と操作部と制御部とを備え複数の空気調和機本体を双方向通信により運転操作するリモコンとを有するものであって、リモコンの制御部は、操作部から複数の空気調和機本体に対し、一斉に同じ運転操作を行う一斉操作が指示されたとき、複数の空気調和機本体と順次通信を行い、空気調和機本体からの返信があった場合は、通信結果を順次表示部に表示し、空気調和機本体からの返信がなかった場合は、表示部に通信エラーが発生したことを表示するとともに一斉操作を停止するものである。
【発明の効果】
【００１２】
本発明の空気調和機は、リモコンで複数の空気調和機本体を一斉操作するときに、リモコンと空気調和機本体との間で通信エラーが発生した場合、リモコンの制御部は、通信エラーが発生したことを表示部に表示して一斉操作を停止する。これにより、使用者が確実に通信エラーとなった空気調和機本体を認識することができ、かつ、使用者が通信エラーとなった空気調和機本体を認識するために表示部を見続ける必要がない。また、通信エラーが発生すれば一斉操作を停止するので、使用者が、通信エラーとなった空気調和機本体以降の全ての空気調和機本体で運転を停止していないことを確実に認識できる。
【図面の簡単な説明】
【００１３】
【図１】本発明の実施形態における空気調和機の、リモコンおよび複数の室内機の概略図である。
【図２】本発明の実施形態におけるリモコンの説明図であり、（Ａ）はリモコンの正面図、（Ｂ）は蓋を開けた状態でのリモコンの正面図である。
【図３】本発明の実施形態における、室内機およびリモコンの構成ブロック図である。
【図４】一斉操作時の動作を説明する図面であり、（Ａ）はリモコンと各室内機との通信状態の説明図、（Ｂ）はリモコンの表示部における表示内容の説明図である。
【図５】一斉操作時のリモコンの制御部での処理を示すフローチャートである。
【発明を実施するための形態】
【００１４】
以下、本発明に係る空気調和機の実施の形態を、添付図面に基づいて詳細に説明する。実施形態としては、同じ機能を有する５台の室内機と、各室内機とペアリングを行い各室内機を個別にあるいは一斉に運転操作できる１台のリモコンとを有する空気調和機を例に挙げて説明する。尚、本発明は以下の実施形態に限定されることはなく、本発明の主旨を逸脱しない範囲で種々変形することが可能である。
【実施例】
【００１５】
まず、本発明に係る空気調和機の概略構成について説明する。図１に示すように、空気調和機１は、横長の略直方体形状を有する空気調和機本体である５台の室内機１０ａ〜１０ｅと、図１では不図示であり室内機１０ａ〜１０ｅと各々冷媒配管で接続される５台の室外機５０ａ〜５０ｅと、少なくとも１台のリモコン２０とを有している。尚、５台の室内機１０ａ〜１０ｅの機能や構成は同じであり、フロア面積の広い店舗や複数の事務所等に設置されているものである。また、空気調和機１では、ＲＦモジュールによる双方向無線通信を利用し、リモコン２０から室内機１０ａ〜１０ｅに対して、個別にあるいは一斉に運転操作や各種設定を行うことができる。
【００１６】
室内機１０ａ〜１０ｅは、図３に示すように、室内機１０ａ〜１０ｅの各部および室外機５０ａ〜５０ｅを制御する制御部１１ａ〜１１ｅと、リモコン２０とのペアリングを行う際に操作されるペアリング設定部１２ａ〜１２ｅと、室内機１０ａ〜１０ｅの運転状態やタイマー設定の有無等を表示する表示部１３ａ〜１３ｅと、空気調和機１の制御に関わるプログラムやデータ、室内機１０ａ〜１０ｅにペアリングされているリモコンのＩＤであるペアリング情報等を記憶する記憶部１４ａ〜１４ｅと、リモコン２０と双方向無線通信を行うＲＦモジュールからなる送受信部１５ａ〜１５ｅと、時刻や時間を計測する計時部１６ａ〜１６ｅと、室外機５０ａ〜５０ｅとの通信を行うインターフェイスである通信部１７ａ〜１７ｅと、室内機１０ａ〜１０ｅに備えられた図示しない室温センサや冷媒温度センサ等の検出結果を制御部１１ａ〜１１ｅに出力するセンサ入力部１８ａ〜１８ｅとを備えている。
【００１７】
次に、リモコン２０について説明する。リモコン２０は、図３に示すように、使用者の操作を受け付ける操作部２２と、運転情報や使用者がリモコン２０を操作する際の操作画面等を表示する表示部２３と、リモコン２０の制御に関わるプログラムやデータ、空気調和機１の現在の運転情報データ等を記憶する記憶部２４と、室内機１０ａ〜１０ｅと双方向無線通信を行うＲＦモジュールからなる送受信部２５と、時刻や時間を計測する計時部２６と、使用者の操作に応じた室内機１０の制御や表示部２３に表示する画像データの表示制御を行う制御部２１とを備えている。
【００１８】
リモコン２０の筐体表面には、図２に示すように、操作部２２や表示部２３が備えられている。表示部２３は、リモコン２０の筐体表面上側に配置されており、ドットマトリクスタイプの液晶パネルで構成されている。表示部２３には、室内機１０ａ〜１０ｅとの通信状態、現在の運転モードや設定温度、風量等の運転状態、現在の時刻、タイマー設定の有無等が表示される。
【００１９】
操作部２２は、多数の操作キーで構成され、図２（Ａ）に示すように、リモコン２０の筐体表面の略中央部から筐体表面下側にかけて配置され、また、図２（Ｂ）に示すように、筐体表面下側に設けられている蓋２０ａを開けた内部にも操作キーが配置されている。
【００２０】
リモコン２０の筐体表面には、図２（Ａ）に示すように、リモコン２０が有する機能の選択に使用する十字キー２２ａ、選択した機能を決定する決定キー２２ｂ、運転開始と運転停止を行う運転／停止キー２２ｃ、上下の矢印ボタンで設定温度を変更する温度キー２２ｄ、風量の変更設定を行う風量キー２２ｅ、冷房運転モードでの運転開始や他の運転モードから冷房運転モードに切り換える冷房キー２２ｆ、暖房運転モードでの運転開始や他の運転モードから暖房運転モードに切り換える暖房キー２２ｇ、除湿運転モードでの運転開始や他の運転モードから除湿運転モードに切り換える除湿キー２２ｈ、および、送風運転モードでの運転開始や他の運転モードから送風運転モードに切り換える送風キー２２ｉ、等が配置されている。
【００２１】
一方、蓋２０ａの内部には、図２（Ｂ）に示すように、空気調和機１の詳細設定を行う操作キーが配置されている。具体的には、環境温度に応じて運転モードを自動で選択するモードに切り換える自動運転キー２２ｊ、急速な暖房や冷房を行うハイパワーキー２２ｋ、時間によって空気調和機１の運転開始／停止を制御するタイマーキー２２ｍ、リモコン２０が有する機能を表示部２３に表示する機能キー２２ｎ、選択した機能を確定する確定キー２２ｐ、リモコン２０とペアリングしている全ての室内機を表示部２３に表示する登録エアコンキー２２ｑ、機能の選択を取り消す取消キー２２ｒ、等が配置されている。
【００２２】
以上説明した室内機１０ａ〜１０ｅとリモコン２０には、ペアリング設定手段が設けられている。具体的には、室内機１０ａ〜１０ｅでは、制御部１１ａ〜１１ｅとペアリング設定部１２ａ〜１２ｅと送受信部１５ａ〜１５ｅとで室内機１０ａ〜１０ｅのペアリング設定手段が構成される。一方、リモコン２０では、制御部２１と後述する操作部２２の操作キーの一部と送受信部２５とでリモコン２０のペアリング設定手段が構成される。
【００２３】
本実施形態の空気調和機１のようにＲＦモジュールを用いて双方向無線通信を行う場合は、使用者がリモコンを操作することで意図しない室内機を操作してしまう可能性がある。そこで、ＲＦモジュールを用いて双方向無線通信を行う空気調和機では、使用者が意図する室内機のみを操作できるように事前に室内機１０ａ〜１０ｅとリモコン２０とのペアリングを行う必要がある。
以下に、室内機１０ａ〜１０ｅとリモコン２０とをペアリングする方法について説明する。
【００２４】
室内機１０ａ〜１０ｅは、工場出荷時にはリモコンとのペアリングがなされていないため、室内機１０ａ〜１０ｅの設置後に初めて室内機１０ａ〜１０ｅに電源を投入すると、制御部１１ａ〜１１ｅはリモコンとペアリングされていないことを検知する。制御部１１ａ〜１１ｅは表示部１３ａ〜１３ｅを点灯あるいは点滅させ、室内機１０ａ〜１０ｅがリモコンのペアリング待ちであることを使用者に報知する。
【００２５】
次に、使用者がリモコン２０に電池を装着するか、あるいは、電池が装着されている場合に操作部２２のいずれかの操作キーを押下すると、リモコン２０の制御部２１は、表示部２３に室内機１０ａ〜１０ｅとのペアリングを行う際の操作を案内する初期設定画面（不図示）を表示する。使用者は、この初期設定画面の表示内容に従って、室内機１０ａ〜１０ｅとのペアリングを順次行う。ペアリングの操作としては、例えば、まず最初に室内機１０ａのペアリング設定部１２ａを５秒間押下し続けて室内機１０ａをペアリング待ちの状態とし、次にリモコン２０の運転／停止キー２２ｃと確定キー２２ｐとを同時に押下する。
【００２６】
使用者が室内機１０ａのペアリング設定部１２ａを５秒間押下すると、制御部１１ａは、ペアリング待ちの状態であることを図示しないブザーの発音、表示部１３ａの点灯や点滅等で示す。
【００２７】
また、使用者がリモコン２０の運転／停止キー２２ｃと確定キー２２ｐとを同時に押下すると、制御部２１は、送受信部２５を介してリモコン２０のＩＤを用いて生成したペアリング要求信号を室内機１０ａに送信する。
【００２８】
室内機１０ａの制御部１１ａは、リモコン２０から受信したペアリング要求信号に含まれるリモコン２０のＩＤを記憶部１４ａに記憶し、送受信部１５ａを介してペアリングが完了した旨のペアリング完了信号をリモコン２０に送信する。送受信部２５を介してペアリング完了信号を受信したリモコン２０の制御部２１は、送受信部２５を介してペアリング完了信号を受信した旨の信号を室内機１０ａに送信する。
【００２９】
以上の動作により、室内機１０ａとリモコン２０とがペアリングされる。ペアリングが完了した室内機１０ａの制御部１１ａは、表示部１３を消灯して、使用者に室内機１０ａはペアリング済であることを報知する。
尚、室内機１０ｂ〜１０ｅとリモコン２０とのペアリングも、上述した室内機１０ａとリモコン２０とのペアリングと同じ方法で行う。
【００３０】
次に、図２乃至図４を使用して、リモコン２０により室内機１０ａ〜１０ｅを一斉操作する場合の空気調和機１の動作およびリモコン２０の制御部２１での制御について説明する。以下の説明では、一斉操作として、室内機１０ａ〜１０ｅを一斉に運転停止する場合を例に挙げて説明する。また、室内機１０ａ〜１０ｅは、リモコンとのペアリング時に、順に室内機１〜５という名称が付与されており、リモコン２０の表示部２３に室内機１０ａ〜１０ｅとの通信状態が表示される際にはこの名称が表示されるものとする。
【００３１】
まず、使用者は、リモコン２０の操作部２２の機能キー２２ｎを操作して表示部２３に空気調和機１の機能メニューを表示させる。使用者が表示部２３に空気調和機１の機能メニューを表示させた状態で十字キー２２ａを操作すると、複数ある空気調和機１の機能メニューが順に表示される。使用者は、図４（Ｂ）の画面ａに示すように、表示部２３に、室内機１０ａ〜１０ｅを一斉に運転停止する「全室内機停止」機能メニューが表示されれば、決定キー２２ｂを押下して全室内機停止機能を選択する。
【００３２】
全室内機停止機能が選択されると、リモコン２０の制御部２１は、図４（Ａ）に示すように、室内機１０ａ（室内機１）、室内機１０ｂ（室内機２）、・・・の順に、送受信部２５を介して運転停止指示からなる運転停止信号を送信する。
【００３３】
まず最初に、リモコン２０の制御部２１は、室内機１０ａに送受信部２５を介して運転停止信号を送信する。送受信部１５ａを介して運転停止信号を受信した室内機１０ａの制御部１１ａは、室内機１０ａの運転を停止し、運転を停止したことを示す停止完了信号を送受信部１５ａを介してリモコン２０に送信する。送受信部２５を介して停止完了信号を受信したリモコン２０の制御部２１は、図４（Ｂ）の画面ｂに示すように、表示部２３に「室内機１：停止」と表示して、使用者に対し室内機１０ａが運転を停止したことを知らせる。
【００３４】
室内機１０ａとの通信結果を表示部２３に表示したリモコン２０の制御部２１は、続いて次の室内機１０ｂに運転停止信号を送信する。送受信部１５ｂを介して運転停止信号を受信した室内機１０ｂの制御部１１ｂは、室内機１０ｂの運転を停止し、運転を停止したことを示す停止完了信号を送受信部１５ｂを介してリモコン２０に送信する。送受信部２５を介して停止完了信号を受信したリモコン２０の制御部２１は、図４（Ｂ）の画面ｃに示すように、表示部２３に「室内機２：停止」と表示して、使用者に対し室内機１０ｂが運転を停止したことを知らせる。
【００３５】
以降、リモコン２０の制御部２１は、上述した手順により残りの室内機１０ｃ〜１０ｅとも順次通信を行う。そして、通信中にエラーが発生しなければ、全ての室内機１０ｃ〜１０ｅの運転が停止されるとともに、表示部２３に、室内機１０ｃ〜１０ｅとの通信が無事行えて室内機１０ｃ〜１０ｅが運転を停止したことを順次表示する。
【００３６】
ここで、図４（Ａ）に示すように、リモコン２０の制御部２１が室内機１０ｃに運転停止信号を送信したが、通信エラーにより室内機１０ｃが運転停止信号を受信できない場合を説明する。リモコン２０の制御部２１は、送受信部２５を介して室内機１０ｃに運転停止信号を送信した後計時部２６にて時間計測を開始し、運転停止信号を送信してから所定時間（例えば、１０秒間）経過しても停止完了信号を受信しない場合は、室内機１０ｃとの間で通信エラーが発生したと認識する。
【００３７】
このとき、リモコン２０の制御部２１は、図４（Ｂ）の画面ｄに示すように、表示部２３に「室内機３：エラー」と表示して、使用者に対し室内機１０ｃとの通信がエラーとなって室内機１０ｃの運転を停止できなかったことを知らせる。そして、制御部２１は、室内機１０ｃ以降の室内機１０ｄ、１０ｅへの運転停止信号の送信を行わずに全室内機停止機能を停止するとともに、表示部２３の表示が図４（Ｂ）に示す画面ｄを維持するように表示部２３を制御する。
【００３８】
以上説明したように、本実施形態における空気調和機１では、室内機１０ｃとの通信がエラーとなった段階で全室内機停止機能を停止するとともに、表示部２３の表示を、図４（Ｂ）の画面ｄに示すように、室内機１０ｃとの間で通信エラーが発生したことを示す表示としこの表示を維持する。通信エラーがあっても、全室内機停止機能を停止することなく次の通信に進んで表示部２３の表示が順次変化すると、室内機１０ｃの通信エラーが表示されていることを見逃した使用者が、室内機１０ｃで通信エラーが発生したことを見逃したり通信エラーを認識するのが遅れたりする虞があるが、本発明のように、通信エラーが発生した室内機１０ｃで表示部２３の表示が止まっていれば、使用者は、室内機１０ｃで通信エラーが発生したことを容易かつ確実に認識することができる。また、通信エラーが発生した室内機１０ｃで表示部２３の表示が止まるので、使用者が、通信エラーが発生したタイミングを見逃さないように表示部２３を見続ける必要もない。また、通信エラーが発生すれば一斉操作（全室内機停止）を停止するので、通信エラーとなった室内機１０ｃ以降の全ての室内機（室内機１０ｄ、１０ｅ）で運転を停止していないことを確実に認識できる。
【００３９】
尚、室内機１０ｃで通信エラーが発生し、表示部２３の表示が、図４（Ｂ）の画面ｄで停止していることを認識した使用者は、リモコン２０を操作して通信エラーが発生した室内機１０ｃおよび残りの室内機１０ｄ、１０ｅの運転停止操作を個別に行えばよい。
【００４０】
次に、図５を用いて、リモコン２０の制御部２１における、上述した全室内機停止機能のような一斉操作を行う際の処理の流れについて説明する。図５に示すフローチャートは、リモコン２０の制御部２１が行う室内機１０ａ〜１０ｅの一斉操作に関する処理の流れを示すものであり、ＳＴはステップ番号を表しこれに続く数字はステップの番号を示している。尚、図５では本発明に関わる処理を中心に説明しており、これ以外の処理、例えば、使用者による室内機１０ａ〜１０ｅ毎の設定温度や風量の設定、タイマー運転設定等といった、一般的な処理については説明を省略している。
【００４１】
まず最初に、制御部２１は、使用者によるリモコン２０の操作部２２の操作が室内機１０ａ〜１０ｅの一斉操作であるか否かを判断する（ＳＴ１）。一斉操作でなければ（ＳＴ１−Ｎｏ）、制御部２１は、通常（室内機１０ａ〜１０ｅ個別の）操作に応じた制御信号を室内機１０ａ〜１０ｅに送信する（ＳＴ１１）。そして、ＳＴ１１の処理を終えた制御部２１は、ＳＴ１に処理を戻す。
【００４２】
使用者による操作が一斉操作であれば（ＳＴ１−Ｙｅｓ）、制御部２１は、室内機１０ａ〜１０ｅの通信完了台数であるＮをリセットしＮ＝０とする（ＳＴ２）。次に、制御部２１は、現在の通信完了台数Ｎに１を加える（ＳＴ３）。一斉操作を始めた直後では、Ｎ＝０＋１＝１、となり、通信を行う室内機が１番目の室内機（本実施形態では室内機１０ａ）であることを示す。
【００４３】
次に、制御部２１は、ＳＴ３で求めたＮ番目の室内機に一斉操作の内容に応じた操作信号を送信する（ＳＴ４）。例えば、本実施形態では、通信完了台数：Ｎ＝１の場合は室内機１０ａに操作信号である運転停止信号を送信する。
【００４４】
次に、制御部２１は、操作信号を送信してから所定時間内に、操作信号を送信したＮ番目の室内機から応答信号を受信したか否かを確認する（ＳＴ５）。例えば、本実施形態では、所定時間（１０秒）以内に運転停止信号を送信した室内機１０ａから送信される停止完了信号を受信したか否かを判断する。
【００４５】
応答信号を受信していなければ（ＳＴ５−Ｎｏ）、制御部２１は、表示部２３にＮ番目の室内機との間で通信エラーが発生した旨を表示する（ＳＴ８）。例えば、本実施形態では、室内機１０ａとの通信でエラーが発生した場合は、表示部２３に「室内機１：エラー」と表示する。そして、ＳＴ８の処理を終えた制御部２１は、一斉操作を停止して（ＳＴ９）、処理を終了する。
【００４６】
ＳＴ５において、応答信号を受信していれば（ＳＴ５−Ｙｅｓ）、制御部２１は、表示部２３にＮ番目の室内機との間で通信が成功した旨を表示する（ＳＴ６）。例えば、本実施形態では、室内機１０ａとの通信が成功し室内機１０ａから停止完了信号を受信した場合は、表示部２３に「室内機１：停止」と表示する。
【００４７】
次に、制御部２１は、通信完了台数Ｎが最後の室内機であることを示す最終台数Ｎｅ（本実施形態では、室内機が５台なので、Ｎｅ＝５）と等しいか否かを判断する（ＳＴ７）。現在の通信完了台数Ｎが最終台数Ｎｅに等しくない場合は（ＳＴ７−Ｎｏ）、制御部２１は、ＳＴ３に処理を戻す。このとき、ＳＴ３においては、通信完了台数Ｎ＝１+１＝２、となり、制御部２１は、ＳＴ４以降の制御を２番目の室内機（本実施形態では、室内機１０ｂ）に対して実行する。以降、通信完了台数Ｎ＝Ｎｅとなるまで上記制御を繰り返し、通信完了台数Ｎが最終台数Ｎｅに等しくなった場合は（ＳＴ７−Ｙｅｓ）、制御部２１は、一斉操作が終了した旨を表示部２３に表示し（ＳＴ１０）、処理を終了する。
【００４８】
尚、以上説明した実施形態では、リモコン２０から室内機１０ａ〜１０ｅに一斉操作を指示したときに、室内機１０ａ〜１０ｅのいずれかとリモコン２０との間で通信エラーが発生した時点で、一斉操作を停止する場合について説明したが、通信エラーが発生したとき、再度リモコン２０から運転停止信号を送信して、再び通信エラーが発生したときに一斉操作を停止する、というように、一斉操作を停止する前に通信を何度かリトライするようにしてもよい。
【００４９】
以上説明した通り、本発明の空気調和機は、リモコンで複数の空気調和機本体を一斉操作するときに、リモコンと空気調和機本体との間で通信エラーが発生した場合、リモコンの制御部は、通信エラーが発生したことを表示部に表示して一斉操作を停止する。これにより、使用者が確実に通信エラーとなった空気調和機本体を認識することができ、かつ、使用者が通信エラーとなった空気調和機本体を認識するために表示部を見続ける必要がない。また、通信エラーが発生すれば一斉操作を停止するので、使用者が、通信エラーとなった空気調和機本体以降の全ての空気調和機本体で運転を停止していないことを確実に認識できる。
【符号の説明】
【００５０】
１  空気調和機
１０ａ〜１０ｅ  室内機
１１ａ〜１１ｅ  制御部
送受信部１５ａ〜１５ｅ
２０  リモコン
２１  制御部
２２  操作部
２２ａ  十字キー
２２ｂ  決定キー
２２ｎ  機能キー
２２ｒ  取消キー
２３  表示部
２５  送受信部
２６  計時部
５０  室外機
【図１】
2015102302.tif 000003
【図２】
2015102302.tif 000004
【図３】
2015102302.tif 000005
【図４】
2015102302.tif 000006
【図５】
2015102302.tif 000007